(57)【要約】【課題】撮影モードの選択間違いを未然に防止する。【解決手段】レンズ付きフイルムユニットには、露出切替機構６８と露出選択機構６９とが内蔵されている。露出切替機構６８は、標準露出と室内用露出との２段階に切り換える。標準露出は、小絞り開口６２を撮影光軸１３ａ上に挿入して小絞り開口６２を絞りとして撮影を行うモードであり、晴天時など被写体輝度が高いときに使用する。室内用露出は、小絞り開口６２を撮影光軸１３ａ上から退避して開放絞り開口５７を絞りとして撮影を行うモードであり、室内など被写体輝度が低いときに使用する。露出選択機構６９は、リンク板６４や重り６７で構成されており、該ユニット１０の撮影姿勢が正立姿勢のときには、重り６７の移動により小絞り開口６２を挿入して標準露出が選択され、また、倒立姿勢のときには重り６７の移動により小絞り開口６２が退避して室内用露出が選択される。【選択図】        図５
2006091148.tif 000002
【特許請求の範囲】
【請求項１】
予め写真フイルムを内蔵するとともに、異なる露出に切り替える露出切替機構を備えたレンズ付きフイルムユニットにおいて、
該ユニットの撮影姿勢に応じて前記露出切替機構の露出を切り替える露出選択手段を備えたことを特徴とするレンズ付きフイルムユニット。
【請求項２】
露出切替機構は、被写体輝度が明るいときに使用する標準露出と、被写体輝度が暗いときに使用する室内用露出との少なくとも２段階に露出を切り替えるとともに、前記露出選択手段は、撮影姿勢が正立姿勢のときに露出切替機構を標準露出に切り替えることを特徴とする請求項１記載のレンズ付きフイルムユニット。
【請求項３】
前記写真フイルムのフイルム感度がＩＳＯ１６００以上であるとともに、前記標準露出は、フイルム感度ＩＳＯ１００を基準とした適正ＥＶ値が８．５以上、１１．５以下に設定されていることを特徴とする請求項２記載のレンズ付きフイルムユニット。
【請求項４】
前記露出選択手段は、撮影姿勢が倒立姿勢のときに露出切替機構を室内用露出に切り替えるとともに、該ユニットの底面には、倒立姿勢のときにシャッタレリーズを行うレリーズ操作部が設けられていることを特徴とする請求項２又は３記載のレンズ付きフイルムユニットムユニット。
【発明の詳細な説明】
【技術分野】
【０００１】
本発明は、露出切替機構を内蔵し、撮影環境下に応じて露出切替機構の露出を切り替えて撮影を行うレンズ付きフイルムユニットに関するものである。
【背景技術】
【０００２】
写真フイルムが予め装填されたレンズ付きフイルムユニットが各種販売されている。このようなレンズ付きフイルムユニットとしては、フラッシュ装置、例えばストロボ装置を搭載し、暗い室内等でも撮影を行うことができるようにしたストロボ内蔵型もある。また、撮影条件に応じた露出に切り替えるために、撮影モードを選択することにより、日中屋外等の明るい場所から暗い場所までの撮影に対応したモード切替型のものもあり、このモード切替型では高感度の写真フイルムを用いることにより、室内や夜間の暗い場所での撮影において、背景の描写性を向上させたものが知られている（特許文献１）。
【０００３】
ストロボ内蔵型のレンズ付きフイルムユニットは、例えば１／１４０秒のシャッタ速度とＦ１０の絞りに、ＩＳＯ８００の写真フイルムが組み合せられ、ＩＳＯ１００を基準としたＥＶ値でＥＶ１０．８が適正露出となるようにされている。室内や夜間の暗い場所での撮影には、ストロボ発光させることにより、比較的に近距離の主要被写体の露出が適正とすることができる。
【０００４】
しかし、上記のようなストロボ内蔵型のレンズ付きフイルムユニットでは、主要被写体をストロボ光でほぼ適正な露出で撮影することができるものの、ストロボ光が有効でない背景については露光不足となってしまい、結果として背景は極端な露光不足となってしまっていた。
【０００５】
そこで、ストロボ発光の有無以外に、シャッタ速度切替機構、絞り切替機構を内蔵し、さらに、高感度の写真フイルムを装填したモード切替型のレンズ付きフイルムユニットが知られている（特許文献２）。このレンズ付きフイルムユニットは、日中屋外等の明るい場所での撮影に対応する日中撮影モード（ストロボ発光せず）と日中シンクロ撮影モード（ストロボ発光あり）と、夜景や暗い室内を背景にし、その背景を適当な濃度で再現しながら人物等の主要被写体をストロボ光で撮影する場合に対応する夜景シンクロ撮影モードの３つの撮影モードを備えている。
【０００６】
上記の日中撮影モード及び日中シンクロ撮影モードでは、高速なシャッタ速度と小絞りに設定され、夜景シンクロ撮影モードでは、低速なシャッタ速度と大絞りに設定される。具体的には、ＩＳＯ８００の写真フイルムが用いられ、日中撮影モード及び日中シンクロ撮影モードでは、シャッタ速度が例えば１／１２０秒に、絞り値が例えばＦ１４に設定され、夜景シンクロ撮影モードでは、シャッタ速度が例えば１／４５秒に、絞り値が例えばＦ５．６に設定されている。
【０００７】
ところで、撮影モード選択型のものでは、外部から選択されているモードが分かり難い問題がある。そこで、ストロボ内蔵型の特許文献１に記載のものでは、ストロボ撮影モードのときにストロボ回路の充電状態を表示するライトガイドを、ボディ上面から外部に突出することでストロボ撮影モードの選択を外部から容易に識別することができるようにしている。
【０００８】
さらに、露出切替型の特許文献２に記載のものでは、日中撮影モードのときには無表示、日中シンクロ撮影モードのときにはライトガイドを上面から外部に突出してそのモードの選択を表示し、さらには夜間シンクロ撮影モードのときにはファインダ視野内に指標板を挿入してそのモードの選択を表示している。
【特許文献１】特開平１１−６４９５１号公報
【特許文献２】特開２００３−３４４９１４号公報
【発明の開示】
【発明が解決しようとする課題】
【０００９】
しかしながら、撮影モードを任意のモードに選択すると、その後の撮影時に撮影モードを変更せずに、そのままの撮影モードで撮影を継続してしまうおそれがある。とうのは、撮影モード選択操作部が一般的にボディ前面に設けられているため、戻し忘れ易いという欠点があった。特許文献１に記載のものでは、ストロボ発光の有無だけであるので、モードの選択を間違っても露光にはそれほど影響がないのに対し、特許文献２に記載のものでは、撮影モードに応じて露出を変更するため、撮影モードの選択を間違うと、撮影環境下によっては失敗写真となるおれがある。
【課題を解決するための手段】
【００１０】
本発明は、上記問題を解消するためになされたもので、その時点で選択されている撮影モードから使用頻度の高い標準の撮影モードに迅速に戻すことができるレンズ付きフイルムユニットを提供することにある。
【００１１】
本発明のレンズ付きフイルムユニットでは、撮影姿勢に応じて露出切替機構の露出を切り替える露出選択手段を備えたものである。露出切替機構としては、絞り開口径を切り替える機構、又はシャッタ速度を切り替える機構、並びにこれら二つの組み合わせを切り替える機構でもよい。露出選択手段としては、該ユニットの姿勢を検知する検知手段と、検知手段から得られる信号に基づいて露出切替機構の露出を切り替える連動機構とで構成してもよい。電気的な構成をとると、レンズ付きフイルムユニットとしては、高価に成りやすい。そこで、ローコスト化を図るため、撮影姿勢に応じて移動する重りと、この重りの移動位置に応じて露出切替機構の露出を切り替えるリンク機構とで露出選択手段を構成してもよい。
【００１２】
露出切替機構としては、被写体輝度が明るいときに使用する標準露出と、被写体輝度が暗いときに使用する室内用露出との少なくとも２段階の露出に切り替えるとともに、露出選択手段は、撮影姿勢が正立姿勢のときに露出切替機構を標準露出に切り替えるように構成するのが望ましい。
【００１３】
また、ストロボ装置を内蔵していないため、予め内蔵する写真フイルムのフイルム感度をＩＳＯ１６００以上にするとともに、標準露出を、フイルム感度ＩＳＯ１００を基準とした適正ＥＶ値が８．５以上、１１．５以下に設定するのが好適である。
【００１４】
さらに、撮影姿勢を正立姿勢と倒立姿勢との二つに設定し、露出選択手段は、倒立姿勢のときに露出切替機構を室内用露出に切り替えるように構成する。この場合、倒立姿勢のときには、正立姿勢のときにシャッタレリーズを行うレリーズ操作部が該ユニットの底面に配されるため、操作し辛い。そこで、倒立姿勢のときのシャッタレリーズ用として、別のレリーズ操作部を該ユニットのボディ底面に設けるのが好適である。
【発明の効果】
【００１５】
本発明では、撮影姿勢に応じて露出が切り替えるように構成したから、露出の切替が簡便になるとともに、撮影姿勢を確認するだけで標準露出に迅速に戻すことができる。
【発明を実施するための最良の形態】
【００１６】
図１に示すように、本発明を実施したレンズ付きフイルムユニット１０は、各種撮影機構が組み込まれたユニット本体１１と、ユニット本体１１の外に取り付けられる外装体１２とからなる。外装体１２には、ユニット本体１１の各部を露呈させるための開口が形成されている。
【００１７】
ユニット本体１１の前面には、撮影レンズ１３、ファインダ対物窓１４が設けられている。また、ユニット本体１１の上面１１ａには、シャッタボタン１５、及び枚数表示窓１６が設けられ、背面にはファインダ接眼窓１７と、撮影後のフイルム巻き上げに用いられる巻き上げノブ１８の一部が露呈して設けられている。
【００１８】
ユニット本体１１の内部には、露出切替機構が設けられている。露出切替機構は、被写体輝度が明るいときに使用する標準露出と、被写体輝度が暗いときに使用する室内用露出との２段階の露出のうちの何れかに切り替えを可能とする。露出切替の選択は、該ユニット１０の撮影姿勢を変えることで決定される。本実施形態では、図１に示す正立姿勢で撮影を行うときには標準露出が選択され、また、図２に示す倒立姿勢で撮影を行うときには室内用露出が選択される。倒立姿勢のときには、ユニット本体１１の底面１１ｂが天を向く姿勢となる。このため、底面１１ｂには、倒立姿勢用シャッタボタン１９が別に設けられている。
【００１９】
ユニット本体は、図３に示すように、前カバー２１、本体基部２２、写真フイルムパトローネ２３、及び、後カバー２４とで構成されている。前カバー２１は、本体基部２２の前面及び上面を覆うカバーである。写真フイルムパトローネ２３は、写真フイルム２５とこれを収納するパトローネ２６とで構成される。写真フイルム２５としては、フイルム感度がＩＳＯ１６００以上、好ましくはＩＳＯ３２００のものが用いられる。
【００２０】
本体基部２２には、背面から見て露光開口２７を挟んだ右側にパトローネ２６を収納するパトローネ室２８が、また左側にはパトローネ２６から未露光の写真フイルム２５を引き出してロール形態で収納するフイルム室２９がそれぞれ一体に形成されている。パトローネ室２８の上には、巻き上げノブ１８が回転自在に配されている。巻き上げノブ１８は、パトローネ室２８に装填されるパトローネ２６の軸芯３０に係合しており、フイルム巻き上げ方向に回転することで写真フイルム２５をフイルム室２９からパトローネ室２８に向けて移送して撮影済みの写真フイルムをパトローネ２６に巻き込む。
【００２１】
本体基部２２の背面、及びパトローネ室２８とフイルム室２９との底面は開口されている。後カバー２４は、写真フイルムパトローネ２３を装填後に本体基部２２の背面に取り付けられ、本体基部２２の背面及び底面を覆う。後カバー２４の底面には、一部を薄肉して折り曲げ自在にしたプルトップ式の底蓋３１が設けられている。この底蓋３１はパトローネ室２８の底を覆う蓋であり、現像所で撮影済み写真フイルムを収納したパトローネ２６を取り出すときに開かれる。なお、倒立姿勢用シャッタボタン１９は、底蓋３１を除く底面１１ｂに設けられており、望ましくは、パトローネ室２８とフイルム室２９とを除く底面１１ｂ、すなわち、パトローネ室２８とフイルム室２９との間の底面１１ｂに設けるのが好ましい。
【００２２】
本体基部２２には、露光開口２７の前に暗箱３３が設けられている。図４に示すように、暗箱３３の前面には、シャッタ機構、及び、露光切替機構などが組み込まれている。暗箱３３の上には、フイルム巻き止め機構、フイルムカウンタ機構、及びシャッタチャージ機構などが組み込まれる。これらシャッタ機構、露光切替機構、フイルム巻き止め機構、フイルムカウンタ機構、及びシャッタチャージ機構などは、前カバー２１で覆われる。
【００２３】
フイルム巻き止め機構は、巻き止め位置と巻き止め解除位置との間で回転する係止レバー４０と、写真フイルム２５のパーフォレーションに係合するスプロケット４１とを有し、スプロケット４１の回転を検知して、１撮影コマ分のフイルム移送がなされたときに係止レバー４０を巻き止め位置に回転してスプロケット４１と巻き上げノブ１８との回転を阻止する。
【００２４】
シャッタチャージ機構は、チャージ位置と露光完了位置との間で回転し、かつ露光完了位置に向けてバネ付勢されたシャッタ駆動レバー４２を有し、スプロケット４１の回転を利用してシャッタ駆動レバー４２をチャージ位置に向けて回転する。シャッタ駆動レバー４２は、係止レバー４０が巻き止め位置に到達する前にチャージ位置に到達し、巻き止め位置に到達した係止レバー４０に一部が係合して、係止レバー４０によりチャージ位置に保持される。
【００２５】
シャッタボタン１５は、前カバー２１の一部を切り欠いて弾性自在に設けられている。シャッタボタン１５の下部には、押圧ロッド４３が設けられており、押圧ロッド４３は、シャッタボタン１５の押圧により係止レバー４０を巻き止め解除位置に向けて押圧する。また、底面１１ｂに設けた倒立姿勢用シャッタボタン１９も後カバー２４の底面１１ｂの一部を切り欠いて弾性自在に設けられている。この倒立姿勢用シャッタボタン１９には、リンク機構４４が設けられており、リンク機構４４は、倒立姿勢用シャッタボタン１９の押圧により係止レバー４０を巻き止め解除位置に向けて押圧する。
【００２６】
係止レバー４０は、巻き止め解除位置に向けて回転すると、シャッタ駆動レバー４２のチャージ位置での保持を解除する。これによりシャッタ駆動レバー４２が露光完了位置に向けてバネ付勢により瞬時に回転する。そして、シャッタ駆動レバー４２が露光完了位置に回転すると、係止レバー４０が巻き止め解除位置に回転しているため、次回のフイルム巻き上げ操作が許容される。なお、フイルムカウンタ機構は、１撮影コマ分のフイルム移送に応じたスプロケット４１の回転を利用して枚数表示板４５を１歩進させて枚数表示窓１６から現時点の残りの撮影枚数を表示する。
【００２７】
図５に示すように、暗箱３３の前面には、被写体光を暗室状態で露光開口２７に導くための開口４６が形成されている。この前面には、被写体側から順に、押さえ環４７、第１レンズ４８、レンズホルダ４９、絞り板５０、スペーサ５１、シャッタ羽根５２、レンズケース５３、第２レンズ５４、スペーサ環５５、及び、第３レンズ５６が取り付けられる。
【００２８】
第１レンズ４８は、レンズホルダ４９に保持される。第２レンズ５４、スペーサ環５５、及び第３レンズ５６は、レンズケース５３の内部に保持される。レンズケース５３は、筒状となっており、被写体側の前面に固定の開放絞り開口５７が、また結像面側の背面には第２レンズ５４、スペーサ環５５、及び第３レンズ５６を順に挿入するために開口が形成されている。
【００２９】
シャッタ羽根５２は、第１レンズ４８とレンズケース５３との間で、撮影光軸１３ａを横切るように揺動自在に設けられている。この揺動は、シャッタ羽根５２の一端が被写体側から見て暗箱３３の左側に配した軸５８を中心に、他端に設けた開閉部５９が開放絞り開口５７を開閉するように回転する。
【００３０】
前述したシャッタ駆動レバー４２は、シャッタリレーズに連動して露光完了位置に向けた方向（図５に矢印で示すＡ方向）に回転する。この回転中に、シャッタ駆動レバー４２に設けた蹴飛ばし部４２ａで、シャッタ羽根５２の一端に設けた被蹴飛ばし部６０を蹴飛ばす。これにより、シャッタ羽根５２は、軸５８を中心に開閉部５９が回転し、開放絞り開口５７を全開する開き位置に開き、開き位置に到達した後には引き戻しバネ６１により開放絞り開口５７を閉じる閉じ位置に戻される。
【００３１】
レンズホルダ４９の背面には、スペーサ５１が取り付けられ、レンズホルダ４９とスペーサ５１との間には、露出切替機構６９を構成する絞り板５０が配置されている。絞り板５０には、開放絞り開口５７よりも小径の小絞り開口６２が一端に形成されており、絞り板５０は、小絞り開口６２が撮影光軸１３ａに位置する挿入位置と撮影光軸１３ａから退避する退避位置との間で軸６３を中心として回転自在に設けられている。
【００３２】
絞り板５０は、軸６３を挟んだ他端にリンク板６４の一端６５が連係している。リンク板６４は、軸６６を中心として回転自在に設けられており、軸６６を挟んだ他端に重り６７が取り付けられている。これらリンク板６４や重り６７が露出選択手段６９を構成する。
【００３３】
図６に示すように、正立姿勢のときには、被写体側から見てファインダ対物窓１４が撮影光軸１３ａの上方に位置し、且つパトローネ室２８が撮影光軸１３ａに対して左側に位置する姿勢となり、この姿勢で重り６７が下方に向けて下がるため、リンク板６４が軸６６を中心として時計方向に回転し、これに連係して絞り板５０が軸６３を中心として反時計方向に回転して小絞り開口６２が撮影光軸１３ａに挿入される。なお、符号７０，７１は、絞り板５０が挿入位置と退避位置のときにそれぞれ当接するストッパである。
【００３４】
図７に示すように、倒立姿勢のときには、被写体側から見てファインダ対物窓１４が撮影光軸１３ａの下方に位置し、且つパトローネ室２８が撮影光軸１３ａに対して右側に位置する姿勢となり、この姿勢で重り６７が下方に向けて下がるため、リンク板６４が軸６６を中心として反時計方向に回転し、これに連係して絞り板５０が軸６３を中心として時計方向に回転して小絞り開口６２が撮影光軸１３ａから退避する。
【００３５】
図８に示すように、標準露出では、ＩＳＯ１００を基準としたＥＶ値で、適正ＥＶ値がＥＶ１０となっており、カラーネガタイプの写真フイルム２５のラチチュードを考慮して＋５．５ＥＶ（露光オーバ）、−１．５ＥＶ（露光アンダー）の露光量の過不足を許容すると、ＥＶ８．５〜ＥＶ１５．５の範囲で撮影が行うことができる。室内用露出では、ＩＳＯ１００を基準としたＥＶ値で、適正ＥＶ値がＥＶ４．５となっており、ラチチュードを考慮すると、ＥＶ３．０〜ＥＶ１０．０の範囲で撮影が行うことができ、ストロボ発光を用いずに暗い室内や夜間屋外での撮影が可能とされている。なお、ＩＳＯ１００を基準とした適正ＥＶ値は、絞り値をＦ，シャッタ速度をＴ（秒）、フイルム感度をＳとしたときに、「ＥＶ＝log2(Ｆ2／Ｔ)−log2（Ｓ／１００）」で与えられる。
【００３６】
なお、標準露出としては、写真フイルムとしてフイルム感度がＩＳＯ１６００以上、好ましくはＩＳＯ３２００のものを使用したときに、フイルム感度ＩＳＯ１００を基準とした適正ＥＶ値を「１０」にしているが、これに限らず、適正ＥＶ値が「８．５」以上、「１１．５」以下の範囲であればいずれでも良い。
【００３７】
上記構成の作用を説明する。撮影を行うときには、撮影環境下に応じて該ユニット１０の撮影姿勢を変える。晴天の野外で撮影を行う場合には、撮影姿勢を正立姿勢に構えて撮影を行う。正立姿勢にすると、図６に示すように、絞り板５０が挿入位置に移動して小絞り開口６２を絞りとして撮影が行われる。
【００３８】
室内での撮影や夜景の撮影を行う場合には、該ユニット１０を倒立姿勢に構えて撮影を行う。倒立姿勢にすると、図７に示すように、絞り板５０が退避位置に移動して開放絞り開口５７を絞りとして撮影が行われる。このときのシャッタレリーズとしては、該ユニット１０の底面１１ｂに設けた倒立姿勢用シャッタボタン１９が天にあるため、レリーズ操作も簡便に行える。
【００３９】
上記実施形態では、該ユニット１０の撮影姿勢を正立姿勢と倒立姿勢として説明しているが、本発明ではこれらに限らず、正立姿勢と、左又は右側面が天に向く横姿勢としてもよい。
【００４０】
また、上記実施形態では、標準露出と室内用露出との２つの撮影モードをもつタイプとして説明しているが、３つ以上の撮影モードをもつタイプでもよい。この場合、正立姿勢のときに、必ず標準露出が選択されるように構成すればよい。
【００４１】
さらに、上記実施形態では、絞り切替を行って露出を切り替える露出切替機構を備えているが、シャッタ速度を切り替える露出切替機構を用いてもよいし、絞りとシャッタ速度との自由な組み合わせで露出を切り替える露出切替機構を用いてもよい。さらにまた、露出選択手段として、重りの移動により撮影姿勢に応じて露出を切り替える構成としているが、本発明ではこれに限らず、円管内に磁石玉をコロがして磁石玉の位置を検知することで撮影姿勢を検出する姿勢センサ等を用いて電気的に露出を切り替える機構を採用してもよい。
【００４２】
また、絞り機構とシャッタ機構とを別々に配しているが、これらの代わりに、２枚のシャッタ羽根を撮影光軸上で開閉自在に配し、各シャッタ羽根の開き量に応じて各シャッタ羽根の開閉部で撮影光軸上に開口を形成する絞り兼用のシャッタ機構を設けてもよい。
【図面の簡単な説明】
【００４３】
【図１】本発明を実施したレンズ付きフイルムユニットを正立姿勢にした状態の外観を示す斜視図である。
【図２】本発明を実施したレンズ付きフイルムユニットを倒立姿勢にした状態の外観を示す斜視図である。
【図３】レンズ付きフイルムユニットを背面から見た分解斜視図である。
【図４】フイルム巻き止め機構やシャッタチャージ機構の概略を示す分解斜視図である。
【図５】撮影レンズ、絞り板、及びシャッタ羽根の位置関係を示す斜視図である。
【図６】正立姿勢のときに絞り板が挿入される状態を示す説明図である。
【図７】倒立姿勢のときに絞り板が退避される状態を示す説明図である。
【図８】ＩＳＯ１００を基準としたときの適性露出値に対して、写真フイルムのラチチュードを考慮した適性露出値の範囲を示すグラフである。
【符号の説明】
【００４４】
１０  レンズ付きフイルムユニット
１１  ユニット本体
１５  シャッタボタン
１９  倒立姿勢用シャッタボタン
５０  絞り板
５７  開放絞り開口
６２  小絞り開口
６７  重り
【図１】
2006091148.tif 000003
【図２】
2006091148.tif 000004
【図３】
2006091148.tif 000005
【図４】
2006091148.tif 000006
【図５】
2006091148.tif 000007
【図６】
2006091148.tif 000008
【図７】
2006091148.tif 000009
【図８】
2006091148.tif 000010